(57)【要約】【課題】受信品質を改善することができるＣＤＭＡ受信端末装置及びＣＤＭＡ受信方法を提供すること。【解決手段】本発明のＣＤＭＡ受信端末装置１２０は、基地局１１０の第１及び第２送信アンテナ１１１、１１２からの第１及び第２送信信号を受信して第１及び第２受信信号を生成する受信アンテナ１２１と、前記第１及び第２受信信号に所定の処理をして第１及び第２処理受信信号を生成する無線回路１２２と、前記第１及び第２処理受信信号の信号レベルを閾値と比較して比較結果を生成する信号レベル測定比較回路２０４と、前記比較結果により前記信号レベルが前記閾値以下であることが示されている前記第１及び第２処理受信信号のいずれかの受信処理動作を停止する制御回路２０５と、を具備する。【選択図】      図１
2004194088.tif 000002
【特許請求の範囲】
【請求項１】
基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、前記無線回路からの前記第１及び第２処理受信信号の信号レベルを閾値と比較して比較結果を生成する信号レベル測定比較手段と、前記信号レベル測定比較手段からの前記比較結果により前記信号レベルが前記閾値以下であることが示されている前記第１及び第２処理受信信号のいずれかの受信処理動作を停止する制御手段と、を具備することを特徴とするＣＤＭＡ受信端末装置。
【請求項２】
基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、前記無線回路からの前記第１及び第２処理受信信号を逆拡散して第１及び第２逆拡散信号を生成する逆拡散装置と、前記逆拡散装置からの前記第１及び第２逆拡散信号の位相補償を行う同期検波装置と、を具備し、前記同期検波装置は、前記第１及び第２逆拡散信号の第１及び第２位相推定値を生成する位相推定回路と、前記第１及び第２逆拡散信号の位相補償を行う第１及び第２アンテナ位相補償回路と、前記第１及び第２位相推定値と個別物理チャネルに含まれる既知デ−タとに基づいて第１位相補償量を算出する第１位相補償量算出回路と、前記第１及び第２位相推定値と共通パイロットチャネルに含まれる既知デ−タに基づいて第２位相補償量を算出する第２位相補償量算出回路と、前記第１及び第２位相推定値の位相誤差データに基づいて前記個別物理チャネルの信号レベルを測定するチャネル信号レベル測定回路と、前記チャネル信号レベル測定回路により測定された前記個別物理チャネルの信号レベルが閾値以上である時に前記第１位相補償量算出回路の前記第１位相補償量を前記第２アンテナ位相補償回路に与えて位相補償を行わせ、かつ、前記チャネル信号レベル測定回路により測定された前記個別物理チャネルの信号レベルが閾値以下である時に前記第２位相補償量算出回路の前記第２位相補償量を前記第２アンテナ位相補償回路に与えて位相補償を行わせる位相補償制御手段と、を具備することを特徴とするＣＤＭＡ受信端末装置。
【請求項３】
基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、を具備するＣＤＭＡ受信端末装置におけるＣＤＭＡ受信方法であって、前記無線回路からの前記第１及び第２処理受信信号の信号レベルを閾値と比較して比較結果を生成する信号レベル測定比較ステップと、前記信号レベル測定比較ステップにおける前記比較結果により前記信号レベルが前記閾値以下であることが示されている前記第１及び第２処理受信信号のいずれかの受信処理動作を停止する制御ステップと、を具備することを特徴とするＣＤＭＡ受信方法。
【発明の詳細な説明】
【０００１】
【発明の属する技術分野】
本発明は、移動体通信システムにおけるＣＤＭＡ受信端末装置に関するものである。
【０００２】
【従来の技術】
従来、移動体通信システムにおいて、基地局は１つのセクターに対して必ず２つ以上の複数アンテナがカバーできるようにすることによりＣＤＭＡ受信端末装置の低消費電力化を図るものが知られている（たとえば特許文献１参照）。
【０００３】
このような構成により、あるセクター内にいるＣＤＭＡ受信端末装置は必ず基地局の複数のアンテナからの信号を受信することができるから、ＣＤＭＡ受信端末装置は各アンテナからの受信信号を合成し、又は、強度の強い受信信号のみ受ける制御をして低消費電力化を図っている。
【０００４】
【特許文献１】
特開２０００―１６５９３８号公報
【０００５】
【発明が解決しようとする課題】
しかしながら、従来のＣＤＭＡ受信端末装置においては、送信ダイバーシティモード時には、基地局側の障害などにより基地局のいずれかのアンテナからの送信信号のレベルが著しく劣化した時にＣＤＭＡ受信端末装置が雑音を合成することになるから、受信品質を劣化させるという問題がある。
【０００６】
また、従来のＣＤＭＡ受信端末装置においては、送信ダイバーシティモード時の受信信号を復調する時に、個別物理チャネル上の既知パターン（パイロットシンボル）を利用していたが、個別物理チャネルの受信レベルが著しく劣化した場合、受信品質が劣化するという問題がある。
【０００７】
本発明は、かかる点に鑑みてなされたものであり、受信品質を改善することができるＣＤＭＡ受信端末装置及びＣＤＭＡ受信方法を提供することを目的とする。
【０００８】
【課題を解決するための手段】
本発明のＣＤＭＡ受信端末装置は、基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、前記無線回路からの前記第１及び第２処理受信信号の信号レベルを閾値と比較して比較結果を生成する信号レベル測定比較手段と、前記信号レベル測定比較手段からの前記比較結果により前記信号レベルが前記閾値以下であることが示されている前記第１及び第２処理受信信号のいずれかの受信処理動作を停止する制御手段と、を具備する構成を採る。
【０００９】
この構成によれば、信号レベルが閾値以下である第１及び第２処理受信信号のいずれかの受信処理動作を停止するから、受信品質を改善することができる。
【００１０】
本発明のＣＤＭＡ受信端末装置は、基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、前記無線回路からの前記第１及び第２処理受信信号を逆拡散して第１及び第２逆拡散信号を生成する逆拡散装置と、前記逆拡散装置からの前記第１及び第２逆拡散信号の位相補償を行う同期検波装置と、を具備し、前記同期検波装置は、前記第１及び第２逆拡散信号の第１及び第２位相推定値を生成する位相推定回路と、前記第１及び第２逆拡散信号の位相補償を行う第１及び第２アンテナ位相補償回路と、前記第１及び第２位相推定値と個別物理チャネルに含まれる既知デ−タとに基づいて第１位相補償量を算出する第１位相補償量算出回路と、前記第１及び第２位相推定値と共通パイロットチャネルに含まれる既知デ−タに基づいて第２位相補償量を算出する第２位相補償量算出回路と、前記第１及び第２位相推定値の位相誤差データに基づいて前記個別物理チャネルの信号レベルを測定するチャネル信号レベル測定回路と、前記チャネル信号レベル測定回路により測定された前記個別物理チャネルの信号レベルが閾値以上である時に前記第１位相補償量算出回路の前記第１位相補償量を前記第２アンテナ位相補償回路に与えて位相補償を行わせ、かつ、前記チャネル信号レベル測定回路により測定された前記個別物理チャネルの信号レベルが閾値以下である時に前記第２位相補償量算出回路の前記第２位相補償量を前記第２アンテナ位相補償回路に与えて位相補償を行わせる位相補償制御手段と、を具備する構成を採る。
【００１１】
この構成によれば、個別物理チャネルの信号レベルが閾値以上であるか否かにより位相補償量を制御するから、受信品質を改善することができる。
【００１２】
本発明のＣＤＭＡ受信方法は、基地局の第１及び第２送信アンテナからの第１及び第２送信信号を受信して第１及び第２受信信号を生成する受信アンテナと、前記受信アンテナからの前記第１及び第２受信信号に所定の処理をして第１及び第２処理受信信号を生成する無線回路と、を具備するＣＤＭＡ受信端末装置におけるＣＤＭＡ受信方法であって、前記無線回路からの前記第１及び第２処理受信信号の信号レベルを閾値と比較して比較結果を生成する信号レベル測定比較ステップと、前記信号レベル測定比較ステップにおける前記比較結果により前記信号レベルが前記閾値以下であることが示されている前記第１及び第２処理受信信号のいずれかの受信処理動作を停止する制御ステップと、を具備するようにした。
【００１３】
この方法によれば、信号レベルが閾値以下である第１及び第２処理受信信号のいずれかの受信処理動作を停止するから、受信品質を改善することができる。
【００１４】
【発明の実施の形態】
本発明の骨子は、無線回路からの第１及び第２処理受信信号の信号レベルを閾値と比較して比較結果を生成し、前記比較結果により前記信号レベルが前記閾値以下であることが示されている前記第１及び第２処理受信信号のいずれかの受信処理動作を停止することである。
【００１５】
以下、本発明の実施の形態について、図面を用いて詳細に説明する。
【００１６】
（実施の形態１）
図１は、本発明の実施の形態１に係るＣＤＭＡ受信端末装置を具備する移動体通信システムの構成を示すブロック図である。
【００１７】
図１に示すように、移動体通信システム１００は、基地局１１０及びＣＤＭＡ受信端末装置１２０を具備している。基地局１１０とＣＤＭＡ受信端末装置１２０とは、無線信号を送受信する。
【００１８】
基地局１１０は、２つの第１及び第２アンテナ１１１、１１２を有し、これらの第１及び第２アンテナ１１１、１１２を介してそれぞれ第１及び第２送信信号１１３、１１４を送信する。
【００１９】
ＣＤＭＡ受信端末装置１２０は、アンテナ１２１、無線回路１２２、逆拡散装置１２３、同期検波装置１２４、タイミング制御回路１２５及びＣＰＵ１２６を具備している。逆拡散装置１２３は、複数の逆拡散回路１２３１〜１２３Ｎを具備している。同期検波装置１２４は、複数の同期検波回路１２４１〜１２４Ｎを具備している。
【００２０】
無線回路１２２の入力端子は、アンテナ１２１の出力端子に接続されている。逆拡散回路１２３１〜１２３Ｎの入力端子は、無線回路１２２の出力端子に接続されている。同期検波回路１２４１〜１２４Ｎの入力端子は、逆拡散回路１２３１〜１２３Ｎの出力端子に接続されている。タイミング制御回路１２５の出力端子は、逆拡散回路１２３１〜１２３Ｎの制御端子に接続されている。ＣＰＵ１２６は、無線回路１２２、逆拡散装置１２３、同期検波装置１２４及びタイミング制御回路１２５に接続されている。
【００２１】
無線回路１２２は、基地局１１０との間で信号の送受信を行う。無線回路１２２は、基地局１１０の第１及び第２アンテナ１２１、１２３からの第１及び第２送信信号を受けて第１及び第２受信信号を生成する。無線回路１２２は、アンテナ１２１からの第１及び第２受信信号にベースバンド変換処理等の処理をして第１及び第２処理受信信号を生成する。
【００２２】
逆拡散回路１２３１〜１２３Ｎの各々は、無線回路１２２からの第１及び第２処理受信信号と既知データ（スクランブルコード及びチャネライゼーションコード）との相関をとることにより、チップデータからシンボルデータに変換して第１及び第２逆拡散信号を生成する。同期検波回路１２４１〜１２４Ｎは、逆拡散回路１２３１〜１２３Ｎから出力される第１及び第２逆拡散信号の位相補償を行う。
【００２３】
タイミング制御回路１２５は、逆拡散回路１２３１〜１２３Ｎの各々の逆拡散を行うタイミングを制御する。ＣＰＵ１２６は、無線回路１２２、逆拡散装置１２３、同期検波装置１２４及びタイミング制御回路１２５に制御信号を与えてこれらを制御する。
【００２４】
図２は、本発明の実施の形態１に係るＣＤＭＡ受信端末装置１２０の同期検波回路１２４１の構成を示すブロック図である。
【００２５】
図２に示すように、同期検波回路１２４１は、位相推定回路２０１、第１及び第２アンテナ位相補償回路２０２、２０３、レベル測定回路２０４、制御回路２０５、第１及び第２選択回路２０６、２０７、アンテナ位相補償量算出回路２０８、第３選択回路２０９及び合成回路２１０を具備している。
【００２６】
位相推定回路２０１の入力端子は、逆拡散回路１２３１の出力端子に接続されている（図１）。第１及び第２位相補償回路２０２、２０３の入力端子は、逆拡散回路１２３１の出力端子に接続され（図１）、また、位相推定回路２０１の出力端子に接続されている。レベル測定回路２０４の入力端子は、位相推定回路２０１の出力端子に接続されている。制御回路２０５の入力端子は、レベル測定回路２０４の出力端子に接続されている。第１及び第２選択回路２０６、２０７の入力端子は、第１及び第２アンテナ位相補償回路２０２、２０３の出力端子に接続されている。第１及び第２選択回路２０６、２０７の制御入力端子は、制御回路２０５の制御出力端子に接続されている。
【００２７】
アンテナ位相補償量算出回路２０８の入力端子は、位相推定回路２０１の出力端子に接続されている。第３選択回路２０９の入力端子は、アンテナ位相補償量算出回路２０８の出力端子に接続されている。第３選択回路２０９の制御入力端子は、第２位相補償回路２０３の制御出力端子に接続されている。２位相補償回路２０３の入力端子は、第３選択回路２０９の出力端子に接続されている。合成回路２１０の入力端子は、第１及び第２選択回路２０６、２０７の出力端子に接続されている。
【００２８】
位相推定回路２０１は、逆拡散回路１２３１からの第１及び第２逆拡散信号の第１及び第２位相推定値を生成する。レベル測定回路２０４は、位相推定回路２０１からの第１及び第２逆拡散信号と第１及び第２位相推定値とを受けて、第１及び第２逆拡散信号の信号レベルを測定し閾値と比較して比較結果を生成する。なお、レベル測定回路２０４は、無線回路１２２からの第１及び第２処理受信信号の信号レベルを測定し閾値と比較して比較結果を生成してもよい。
【００２９】
第１及び第２位相補償回路２０２、２０３は、位相推定回路２０１からの第１及び第２位相推定値に基づいて、逆拡散回路１２３１からの第１及び第２逆拡散信号の位相補償を行って第１及び第２位相補償逆拡散信号を生成する。アンテナ位相補償量算出回路２０８は、送信タイバーシティモード時における個別物理チャネルの第２アンテナ１１２の側の位相角度の位相補償量を算出する。第２アンテナ位相補償回路２０３は、送信タイバーシティモード時に位相補償量選択信号を第３選択回路２０９に与える。第３選択回路２０９は、位相補償量選択信号を受けた時にアンテナ位相補償量算出回路２０８からの位相補償量を第２アンテナ位相補償回路２０３に与える。この場合に、第２アンテナ位相補償回路２０３は、位相補償量に基づいて逆拡散回路１２３１からの第２逆拡散信号の位相補償を行って第２位相補償逆拡散信号を生成する。
【００３０】
制御回路２０５は、レベル測定回路２０４からの比較結果により信号レベルが前記閾値以下であることが示されている第１及び第２処理受信信号のいずれかの受信処理動作を停止するための受信処理動作停止信号を生成して第１及び第２選択回路２０６、２０７のいずれかに与える。第１及び第２選択回路２０６、２０７は、制御回路２０５からの受信処理動作停止信号を受けていない時に第１及び第２アンテナ位相補償回路２０２、２０３からの第１及び第２アンテナ位相補償逆拡散信号を合成回路２１０に与えて受信処理動作を行う。
【００３１】
また、第１選択回路２０６は、制御回路２０５からの受信処理動作停止信号を受けている時に第１アンテナ位相補償回路２０２からの第１位相補償逆拡散信号を合成回路２１０に与えないことにより第１位相補償逆拡散信号の受信処理動作を停止する。また、第２選択回路２０７は、制御回路２０５からの受信処理動作停止信号を受けている時に第２アンテナ位相補償回路２０３からの第２位相補償逆拡散信号を合成回路２１０に与えないことにより受信処理動作を停止する。
【００３２】
合成回路２１０は、第１位相補償逆拡散信号及び第２位相補償逆拡散信号を受けた時にこれらを合成して同期検波信号を生成する。また、合成回路２１０は、第１位相補償逆拡散信号のみを受けた時にこれを基づいて同期検波信号を生成する。また、合成回路２１０は、第２位相補償逆拡散信号のみを受けた時にこれを基づいて同期検波信号を生成する。
【００３３】
同期検波回路１２４２〜１２４Ｎの各々は、同期検波回路１２４１と同じように、位相推定回路２０１、第１及び第２アンテナ位相補償回路２０２、２０３、レベル測定回路２０４、制御回路２０５、第１及び第２選択回路２０６、２０７、アンテナ位相補償量算出回路２０８、第３選択回路２０９及び合成回路２１０を具備している。
【００３４】
次に、本発明の実施の形態１に係るＣＤＭＡ受信端末装置１２０の同期検波回路１２４１の動作について、図１及び図２と共に図３を参照して説明する。図３は、本発明の実施の形態１に係るＣＤＭＡ受信端末装置１２０の同期検波回路１２４１の動作を説明するためのフロー図である。
【００３５】
図３に示すように、レベル測定回路２０４は、第１逆拡散信号の信号レベルＳＬ１を測定し（ステップＳＴ３０１）、第２逆拡散信号の信号レベルＳＬ２を測定する（ステップＳＴ３０２）。
【００３６】
次に、レベル測定回路２０４は、ＳＬ１≦ＳＬ２であるかを判断し（ステップＳＴ３０３）、ＳＬ１≦ＳＬ２である時にＳＬ１≦Ｔｔｈ（Ｔｔｈは閾値）であるかを判断する（ステップＳＴ３０４）。ステップＳＴ３０４において、ＳＬ１≦Ｔｔｈである時に、制御回路２０５は受信処理動作停止信号を生成して第１選択回路２０６に与えて第１位相補償逆拡散信号の受信処理動作を停止する（ステップＳＴ３０５）。ステップＳＴ３０４において、ＳＬ１≦Ｔｔｈでない時にはステップＳＴ３０１に戻る。
【００３７】
一方、ステップＳＴ３０３においてＳＬ１≦ＳＬ２でない時にＳＬ２≦Ｔｔｈであるかを判断する（ステップＳＴ３０６）。ステップＳＴ３０６においてＳＬ２≦Ｔｔｈである時に、制御回路２０５は受信処理動作停止信号を生成して第２選択回路２０７に与えて第２位相補償逆拡散信号の受信処理動作を停止する（ステップＳＴ３０７）。ステップＳＴ３０６においてＳＬ２≦Ｔｔｈでない時にはステップＳＴ３０１に戻る。
【００３８】
このように、本発明の実施の形態１においては、信号レベルが閾値以下である第１及び第２位相補償逆拡散信号のいずれかの受信処理動作を停止するから、受信品質が悪い受信信号の雑音の受信処理動作を停止するから、受信品質を改善することができる。
【００３９】
（実施の形態２）
次に、本発明の実施の形態２について、図面を参照して詳細に説明する。図４は、本発明の実施の形態２に係るＣＤＭＡ受信端末装置を具備する移動体通信システムの構成を示すブロック図である。本発明の実施の形態２においては、本発明の実施の形態１と同じ構成要素には同じ参照符号を付して、その説明を省略する。
【００４０】
図４に示すように、移動体通信システム４００は、基地局１１０及びＣＤＭＡ受信端末装置４１０を具備している。基地局１１０とＣＤＭＡ受信端末装置４１０とは、無線信号を送受信する。
【００４１】
基地局１１０は、２つの第１及び第２アンテナ１１１、１１２を有し、これらの第１及び第２アンテナ１１１、１１２を介してそれぞれ第１及び第２送信信号１１３、１１４を送信する。第１及び第２送信信号１１３、１１４の各々は、既知データのみからなる共通パイロットチャネル１１５と、ユーザデータ及び既知データからなる個別物理チャネル１１６とを有している。
【００４２】
ＣＤＭＡ受信端末装置４１０は、アンテナ１２１、無線回路１２２、逆拡散装置１２３、同期検波装置４１１、タイミング制御回路１２５及びＣＰＵ１２６を具備している。同期検波装置４１１は、複数の同期検波回路４１１１〜４１１Ｎを具備している。同期検波回路４１１１〜４１１Ｎの入力端子は、逆拡散回路１２３１〜１２３Ｎの出力端子に接続されている。
【００４３】
図５は、本発明の実施の形態２に係るＣＤＭＡ受信端末装置４１０の同期検波回路４１１１の構成を示すブロック図である。
【００４４】
図５に示すように、同期検波回路４１１１は、図２の同期検波回路１２４１において、アンテナ位相補正量算出回路２０８及び第３選択回路２０９の代わりに、第１及び第２位相補正量算出回路５１１、５１２、チャネル信号レベル測定回路５１３、位相補償制御回路５１４及び第４選択回路５１５を具備するものである。
【００４５】
すなわち、同期検波回路４１１１は、位相推定回路２０１、第１及び第２アンテナ位相補償回路２０２、２０３、レベル測定回路２０４、制御回路２０５、第１及び第２選択回路２０６、２０７、第１及び第２位相補正量算出回路５１１、５１２、チャネル信号レベル測定回路５１３、位相補償制御回路５１４、第４選択回路５１５及び合成回路２１０を具備している。
【００４６】
第１及び第２位相補正量算出回路５１１、５１２の入力端子は、位相推定回路２０１の出力端子に接続されている。チャネル信号レベル測定回路５１３の入力端子は、位相推定回路２０１の出力端子に接続されている。位相補償制御回路５１４の入力端子は、チャネル信号レベル測定回路５１３の出力端子に接続されている。第４選択回路５１５の入力端子は、第１及び第２位相補正量算出回路５１１、５１２の出力端子に接続されている。また、第４選択回路５１５の制御入力端子は、位相補償制御回路５１４の出力端子に接続されている。また、第４選択回路５１５の出力端子は、第２アンテナ位相補償回路２０３の入力端子に接続されている。
【００４７】
次に、本発明の実施の形態１に係るＣＤＭＡ受信端末装置１２０の同期検波回路１２４１と異なる本発明の実施の形態２に係るＣＤＭＡ受信端末装置４１０の同期検波回路４１１１の動作を説明する。
【００４８】
第１位相補正量算出回路５１１は、位相推定回路２０１からの第１及び第２位相推定値と個別物理チャネルに含まれる既知デ−タとに基づいて第１位相補正量を算出する。第２位相補正量算出回路５１２は、位相推定回路２０１からの第１及び第２位相推定値と共通パイロットチャネルに含まれる既知デ−タに基づいて第２位相補正量を算出する。チャネル信号レベル測定回路５１３は、位相推定回路２０１から第１及び第２位相推定値の位相誤差データに基づいて個別物理チャネルの信号レベルを測定する。
【００４９】
位相補償制御回路５１４は、チャネル信号レベル測定回路５１３により測定された個別物理チャネルの信号レベルが閾値より大きい時に第４選択回路５１５に第１選択制御信号を与えて第１位相補正量算出回路５１１の第１位相補償量を第２アンテナ位相補償回路２０３に与えて位相補償を行わせる。また、位相補償制御回路５１４は、チャネル信号レベル測定回路５１３により測定された個別物理チャネルの信号レベルが閾値以下である時に第４選択回路５１５に第２選択制御信号を与えて第２位相補正量算出回路５１２の第２位相補償量を第２アンテナ位相補償回路２０３に与えて位相補償を行わせる。
【００５０】
同期検波回路４１１２〜４１１Ｎの各々は、同期検波回路１２４１と同じように、位相推定回路２０１、第１及び第２位相補償回路２０２、２０３、レベル測定回路２０４、制御回路２０５、第１及び第２選択回路２０６、２０７、第１及び第２位相補正量算出回路５１１、５１２、チャネル信号レベル測定回路５１３、位相補償制御回路５１４、第４選択回路５１５及び合成回路２１０を具備している。
【００５１】
次に、本発明の実施の形態２に係るＣＤＭＡ受信端末装置４１０の同期検波回路４１１１における第１及び第２補正量算出回路５１１、５１２、チャネル信号レベル測定回路５１３、位相補償制御回路５１４及び第４選択回路５１５の動作について、図４及び図５と共に図６を参照して説明する。図６は、本発明の実施の形態２に係るＣＤＭＡ受信端末装置４１０の同期検波回路４１１１の動作を説明するためのフロー図である。
【００５２】
図６に示すように、チャネル信号レベル測定回路５１３は、位相推定回路２０１から第１及び第２位相推定値の位相誤差データに基づいて個別物理チャネルの信号レベルＢＬを測定する（ステップＳＴ６０１）。次に、位相補償制御回路５１４は、ＢＬ≦Ｔｔｈｂ（Ｔｔｈｂは閾値である）であるかを判断する（ステップＳＴ６０２）。
【００５３】
ステップＳＴ６０２においてＢＬ≦Ｔｔｈｂでない時に、位相補償制御回路５１４は第４選択回路５１５に第１選択制御信号を与えて第１位相補正量算出回路５１１の第１位相補正量を選択して第２アンテナ位相補償回路２０３に与えて位相補償を行わせる（ステップＳＴ６０３）。また、ステップＳＴ６０２においてＢＬ≦Ｔｔｈｂである時に、位相補償制御回路５１４は、第４選択回路５１５に第２選択制御信号を与えて第２位相補正量算出回路５１２の第２位相補正量を選択して第２アンテナ位相補償回路２０３に与えて位相補償を行わせる（ステップＳＴ６０４）。
【００５４】
なお、本発明の実施の形態２において、レベル測定回路２０４、制御回路２０５、第１選択回路２０６及び第２選択回路２０７は、削除してもよい。
【００５５】
このように、本発明の実施の形態２においては、個別物理チャネルの信号レベルが閾値以上であるか否かにより位相補償量を制御するから、受信品質を改善することができる。
【００５６】
【発明の効果】
以上説明したように、本発明によれば、信号レベルが閾値以下である第１及び第２処理受信信号のいずれかの受信処理動作を停止するから、受信品質を改善することができる。
【図面の簡単な説明】
【図１】本発明の実施の形態１に係るＣＤＭＡ受信端末装置を具備する移動体通信システムの構成を示すブロック図
【図２】本発明の実施の形態１に係るＣＤＭＡ受信端末装置の同期検波回路の構成を示すブロック図
【図３】本発明の実施の形態１に係るＣＤＭＡ受信端末装置の同期検波回路の動作を説明するためのフロー図
【図４】本発明の実施の形態２に係るＣＤＭＡ受信端末装置を具備する移動体通信システムの構成を示すブロック図
【図５】本発明の実施の形態２に係るＣＤＭＡ受信端末装置の同期検波回路の構成を示すブロック図
【図６】本発明の実施の形態２に係るＣＤＭＡ受信端末装置の同期検波回路の動作を説明するためのフロー図
【符号の説明】
１００、４００  移動体通信システム
１１０  基地局
１２０、４１０  ＣＤＭＡ受信端末装置
１１１  第１アンテナ
１１２  第２アンテナ
１２１  アンテナ
１２２  無線回路
１２３  逆拡散装置
１２４、４１１  同期検波装置
１２５  タイミング制御回路
１２６  ＣＰＵ
１２３１〜１２３Ｎ  逆拡散回路
１２４１〜１２４Ｎ、４１１１〜４１１Ｎ  同期検波回路
２０１  位相推定回路
２０２  第１位相補償回路
２０３  第２位相補償回路
２０４  レベル測定回路
２０５  制御回路
２０６  第１選択回路
２０７  第２選択回路
２０８  アンテナ位相補償量算出回路
２０９  第３選択回路
２１０  合成回路
５１１  第１位相補正量算出回路
５１２  第２位相補正量算出回路
５１３  チャネル信号レベル測定回路
５１４  位相補償制御回路
５１５  第４選択回路
【図１】
2004194088.tif 000003
【図２】
2004194088.tif 000004
【図３】
2004194088.tif 000005
【図４】
2004194088.tif 000006
【図５】
2004194088.tif 000007
【図６】
2004194088.tif 000008